(57)【要約】【課題】スケジュール設定の作業性を向上させることができる照明制御システムを得る。【解決手段】複数の中継器１が外部機器と第１のネットワーク２を介して接続される。照明コントローラ８が複数の中継器１に第２のネットワーク９を介して接続され、照明装置１０の点灯状態をスケジュール情報に基づいて制御する。コンピュータ３が第１のネットワーク２に接続された場合、複数の中継器１を介して、複数の中継器１にそれぞれ接続された照明コントローラ８のスケジュール情報をコンピュータ３により変更することができる。コンピュータ２５が第２のネットワーク９に接続された場合、複数の中継器１を介さずに、その第２のネットワーク９に接続された照明コントローラ８のスケジュール情報をコンピュータ２５により変更することができる。【選択図】図１
2019200919.tif 000002
【特許請求の範囲】
【請求項１】
外部機器と第１のネットワークを介して接続される複数の中継器と、
前記複数の中継器に第２のネットワークを介して接続され、照明装置の点灯状態をスケジュール情報に基づいて制御する照明コントローラとを備え、
前記第１のネットワーク又は前記第２のネットワークにコンピュータが接続され、
前記コンピュータが前記第１のネットワークに接続された場合、前記複数の中継器を介して、前記複数の中継器にそれぞれ接続された前記照明コントローラの前記スケジュール情報を前記コンピュータにより変更することができ、
前記コンピュータが前記第２のネットワークに接続された場合、前記複数の中継器を介さずに、その第２のネットワークに接続された前記照明コントローラの前記スケジュール情報を前記コンピュータにより変更することができることを特徴とする照明制御システム。
【請求項２】
照明装置の点灯状態をスケジュール情報に基づいて制御する照明コントローラと、
前記照明コントローラにネットワークを介して接続され、前記照明コントローラが制御する前記照明装置の点灯状態を切り替えるスイッチユニットとを備え、
前記スイッチユニットは、外部と通信するための通信ポートを有し、
設定端末から前記通信ポートを介して前記照明コントローラに設定された前記スケジュール情報を変更することができることを特徴とする照明制御システム。
【請求項３】
緯度情報、経度情報及び設定時間が入力され、スケジュール情報が設定され、接続された照明装置の点灯状態を制御する照明コントローラを備え、
前記照明コントローラは、前記緯度情報、前記経度情報及びカレンダー情報に基づいて日の出と日の入りの少なくとも一方の時間を算出し、この算出した時間に前記設定時間を加算又は減算してスケジュール制御動作時間を算出し、前記スケジュール制御動作時間になった際に前記スケジュール情報に基づいて前記照明装置の点灯状態を制御することを特徴とする照明制御システム。
【請求項４】
前記照明コントローラに設定された前記スケジュール情報のうち当日を含めたその後の複数日の点灯制御スケジュールを表示させることを特徴とする請求項１〜３の何れか１項に記載の照明制御システム。
【発明の詳細な説明】
【技術分野】
【０００１】
本発明は、照明制御システムに関する。
【背景技術】
【０００２】
スケジュールに基づいて照明システムを制御する技術がある（例えば、特許文献１参照）。また、日の出、日の入りの時間に基づいて照明システムを制御する技術もある。
【先行技術文献】
【特許文献】
【０００３】
【特許文献１】特許第４６４４９５２号公報
【発明の概要】
【発明が解決しようとする課題】
【０００４】
集中管理室で照明コントローラのスケジュールを変更するシステムの場合、照明装置が設置された場所から離れた集中管理室で作業を行う必要があった。また、ネットワークを介して各フロアに設置された照明コントローラのスケジュールを変更するシステムの場合、他のフロアに設置された照明コントローラのスケジュールを変更することはできず、スケジュールを変更したいフロアごとにスケジュール設定作業を行う必要があった。従って、何れの場合にも、スケジュール設定の作業性が劣るという問題があった。
【０００５】
更に、日中の時間帯に減光する照明制御を行う場合、日の出直後の時間帯に外光による周囲の明るさが充分でないにも関わらず暗く調光したり、消灯したりする。このため、照明される空間が暗くなる恐れがあった。同様に日中時間帯の減光制御により日の入り時間になってから照明制御を行う場合、周囲の外光が暗くなってから明るく調光したり、点灯したりする。このため、日の入りまでの直前の時間帯は、照明される空間が暗くなる恐れがあった。従って、快適な照明空間を演出することができないという問題があった。
【０００６】
本発明は、上述のような課題を解決するためになされたもので、第１の目的はスケジュール設定の作業性を向上させることができる照明制御システムを得るものである。第２の目的は快適な照明空間を演出することができる照明制御システムを得るものである。
【課題を解決するための手段】
【０００７】
第１の発明に係る照明制御システムは、外部機器と第１のネットワークを介して接続される複数の中継器と、前記複数の中継器に第２のネットワークを介して接続され、照明装置の点灯状態をスケジュール情報に基づいて制御する照明コントローラとを備え、前記第１のネットワーク又は前記第２のネットワークにコンピュータが接続され、前記コンピュータが前記第１のネットワークに接続された場合、前記複数の中継器を介して、前記複数の中継器にそれぞれ接続された前記照明コントローラの前記スケジュール情報を前記コンピュータにより変更することができ、前記コンピュータが前記第２のネットワークに接続された場合、前記複数の中継器を介さずに、その第２のネットワークに接続された前記照明コントローラの前記スケジュール情報を前記コンピュータにより変更することができることを特徴とする。
【０００８】
第２の発明に係る照明制御システムは、照明装置の点灯状態をスケジュール情報に基づいて制御する照明コントローラと、前記照明コントローラにネットワークを介して接続され、前記照明コントローラが制御する前記照明装置の点灯状態を切り替えるスイッチユニットとを備え、前記スイッチユニットは、外部と通信するための通信ポートを有し、設定端末から前記通信ポートを介して前記照明コントローラに設定された前記スケジュール情報を変更することができることを特徴とする。
【０００９】
第３の発明に係る照明制御システムは、緯度情報、経度情報及び設定時間が入力され、スケジュール情報が設定され、接続された照明装置の点灯状態を制御する照明コントローラを備え、前記照明コントローラは、前記緯度情報、前記経度情報及びカレンダー情報に基づいて日の出と日の入りの少なくとも一方の時間を算出し、この算出した時間に前記設定時間を加算又は減算してスケジュール制御動作時間を算出し、前記スケジュール制御動作時間になった際に前記スケジュール情報に基づいて前記照明装置の点灯状態を制御することを特徴とする。
【発明の効果】
【００１０】
第１の発明では、コンピュータが第１のネットワークに接続された場合、複数の中継器を介して、第２のネットワークにそれぞれ接続された照明コントローラのスケジュール情報をコンピュータにより一括で変更することができる。一方、コンピュータが第２のネットワークに接続された場合、複数の中継器を介さずに、その第２のネットワークに接続された照明コントローラのみのスケジュール情報をコンピュータにより変更することができる。このようにスケジュール設定を行う照明コントローラへのアクセス方法を複数準備することで、スケジュール設定の作業性を向上させることができる。
【００１１】
第２の発明では、設定端末からスイッチユニットの通信ポートを介して照明コントローラに設定されたスケジュール情報を変更することができる。これにより、スケジュール設定の作業性を向上させることができる。
【００１２】
第３の発明では、算出した日の出・日の入り時間に設定時間を加算又は減算してスケジュール制御動作時間を算出し、スケジュール制御動作時間になった際にスケジュール情報に基づいて照明装置の点灯状態を制御する。これにより、快適な照明空間を演出することができる。
【図面の簡単な説明】
【００１３】
【図１】実施の形態１に係る照明制御システムを示す図である。
【発明を実施するための形態】
【００１４】
実施の形態に係る照明制御システムについて図面を参照して説明する。
【００１５】
実施の形態１．
図１は、実施の形態１に係る照明制御システムを示す図である。ビル監視システムにおいて複数の中継器１が第１のネットワーク２を介してコンピュータ３に接続されている。第１のネットワーク２は例えばビル監視システムのネットワークである。コンピュータ３は、集中管理室などに設置された照明統合操作器である。複数の中継器１は、図１で点線で示すBACnet(A Data Communication Protocol for Building Automation and Control Networks)を介して、ウェブシステムの照明ウェブサーバー４、及びビル集中管理システムなど他の設備機器５にも接続されている。照明ウェブサーバー４は最大３０００台のユーザクライアントサーバー６と最大５台の管理クライアントサーバー７を備える。
【００１６】
各フロアに単数又は複数配置された照明コントローラ８が、複数の中継器１にイーサネット（登録商標）である第２のネットワーク９を介して接続されている。単数又は複数の照明装置１０が照明コントローラ８に第２のネットワーク９を介して接続されている。なお、照明装置１０の他に、リレー制御端末器１１、調光信号端末器１２、リレー端末機１３、リモコンブレーカー制御端末器１４、人感センサ１５、増幅器１６、接点入力端末器１７、接点出力端末器１８、壁スイッチなどのスイッチユニット１９、調光コントローラ２０、照度センサ２１、照度人感センサ２２、画像人感センサ２３も照明コントローラ８に第２のネットワーク９を介して接続されている。
【００１７】
中継器１は、上位に接続されたビル監視システムのコンピュータ３との通信を行うとともに、下位に接続された複数の照明コントローラ８との間で通信を行う。中継器１は、中央演算装置（ＣＰＵ）、揮発性又は不揮発性のメモリ、第１の通信ポート、及び第２の通信ポートを有する。第１の通信ポート及び第２の通信ポートは何れもイーサネット（登録商標）である。第１の通信ポートは上位システムに接続され、第２の通信ポートは下位システムに接続される。
【００１８】
中継器１は、下位システムに発生した通信エラー又は機器故障などの異常を検知した場合、照明コントローラ８及びその下位に接続された機器を制御するための照明制御信号を生成する。また、中継器１は、上位の他の設備機器から受信した制御信号に照明コントローラ８及びその下位に接続された機器を制御する信号が含まれている場合、この信号に基づいて照明コントローラ８及びその下位に接続された機器を制御するための照明制御信号を生成する。また、中継器１は、照明コントローラ８及びその下位に接続された機器からの情報信号に上位の機器に伝達するための信号が含まれている場合、この信号から上位の機器に対応した照明情報を生成する。
【００１９】
照明コントローラ８は、上位に接続された中継器１などの機器と通信を行う。また、照明コントローラ８は、中継器１などからの制御信号又は自己が管理する制御情報に基づき、下位に接続された照明装置１０などの機器に対して制御信号を送受信する。
【００２０】
照明コントローラ８は、中央演算装置（ＣＰＵ）、揮発性又は不揮発性のメモリ、第１の通信ポート、及び第２の通信ポートを有する。第１の通信ポートはイーサネット（登録商標）である。第２の通信ポートは２線式専用通信線である。第１の通信ポートは上位システムに接続され、第２の通信ポートは下位システムに接続される。照明コントローラ８は、機器固有のアドレス情報を含む下位に接続される機器に関わる機器情報と、それぞれの機器に割り当てたグループ情報と、カレンダー及び現在の日時を含む日時情報と、それぞれの機器のうち照明装置の点灯状態を日時情報に基づいて制御するためのスケジュール情報を不揮発性メモリに格納している。照明コントローラ８は、このグループ情報と同じグループに属する照明装置１０の点灯状態をスケジュール情報に基づいて制御する。
【００２１】
スイッチユニット１９は、照明コントローラ８が制御する照明装置１０の点灯状態を切り替える。スイッチユニット１９は、スイッチ操作部、赤外線送受信ポート（ＩＲポート）、中央演算プロセッサ（ＣＰＵ）、揮発性又は不揮発性のメモリ、及び第１の通信ポートを有する。第１の通信ポートは、スイッチユニット１９に電力を供給するとともに外部と通信するためのポートであり、照明コントローラ８の第２のポートに渡り配線で接続されている。スイッチユニット１９から照明コントローラ８にスイッチのオン／オフ情報とそのスイッチに対応するグループ情報が送信される。スイッチユニット１９の設定時は、照明コントローラ８からスイッチユニット１９に各スイッチに割り当てるグループ信号などの設定情報が送信される。また、スイッチユニット１９はＩＲポートを介して設定端末２４と照明コントローラ８の情報を送受信することができる。スイッチユニット１９は、スイッチ操作部が押下されると第１の通信ポートから押下信号を送信する。照明制御システムは、スイッチユニット１９から送信された押下信号をトリガとして、照明装置１０の点灯状態を切り替える。
【００２２】
スケジュール情報はパターン１〜４で構成されている。パターン１は通年スケジュール制御情報である。パターン２〜４はユーザーが定義したユーザースケジュール制御情報である。各パターンの優先順位は、高い方から順にパターン４、パターン３、パターン２、パターン１である。照明コントローラ８は、優先順位の高い方のスケジュールパターンに従って各照明装置１０の点灯状態を制御する。パターン２〜４にスケジュール管理設定がなされていないか、又は期限切れなどで無効になっている場合、照明コントローラ８はパターン１の通年スケジュールに従って各照明装置１０の点灯状態を制御する。
【００２３】
このように、ユーザーは複数のスケジュールパターンを照明コントローラ８に設定して、各照明装置１０の点灯状態を任意にコントロールすることができる。複数のスケジュールパターンを設定できることによって、ユーザーがスケジュール設定を行うシチュエーションが格段に増すことになる。しかし、そのスケジュールパターンを設定できる方法がコンピュータ３のみであると、例えば、特定フロアのみのスケジュールを設定したい場合であってもコンピュータ３が設置された場所まで移動する必要がある。また、個別エリアのみのスケジュールを設定したい場合であっても同様に、コンピュータ３を設定できる場所まで移動する必要がある。一般的には、コンピュータ３が設置されている場所はビル集中管理室などであり、特定のユーザーしか入ることが許可されていないことが多い。このため、複数のスケジュールパターンを設定できるにも関わらず、特定のユーザー以外は容易にその作業を行うことができない。そこで、特定フロアのスケジュールを設定したい場合は、下位の第２のネットワーク９に、照明制御設定ソフトがインストールされたコンピュータ２５を有線式又は無線ＬＡＮ２６を用いた無線式により接続する。このコンピュータ２５に表示される表示情報を頼りに、その照明コントローラ８の下位に接続された機器のスケジュール設定を行う。また、個別エリアのみのスケジュールを設定したい場合は、設定専用の設定端末２４を用いて、スイッチユニット１９に赤外線信号を送信し、そのスイッチユニット１９と同じグループに設定されている機器のスケジュール設定を行う。
【００２４】
本実施の形態では、コンピュータ３が第１のネットワーク２に接続された場合、複数の中継器１を介して、第２のネットワーク９にそれぞれ接続された複数の照明コントローラ８のスケジュール情報をコンピュータ３により一括で変更することができる。中継器１を介して設定するので、第２のネットワーク９のケーブル長等の制約を受けることなく建物全体に配置された照明コントローラ８のスケジュール設定が可能である。一方、コンピュータ２５が第２のネットワーク９に接続された場合、複数の中継器１を介さずに、その第２のネットワーク９に接続された照明コントローラ８のみのスケジュール情報をコンピュータ２５により変更することができる。コンピュータ２５が複数の中継器１を介さずに照明コントローラ８にダイレクトにアクセスするため、変更可能な範囲はその第２のネットワーク９に接続された照明コントローラ８のスケジュール設定に制限される。このようにスケジュール設定のアクセス方法を複数準備することで、多くのユーザーが容易にスケジュール設定を行うことができる。従って、スケジュール設定の作業性を向上させることができる。
【００２５】
また、設定端末２４からスイッチユニット１９の通信ポートを介して、スイッチユニット１９が属しているグループの照明コントローラ８に設定されたスケジュール情報を変更することができる。これにより、スケジュール設定の作業性を向上させることができる。
【００２６】
コンピュータ又は設定端末２４をどこに接続するかに応じてスケジュール設定できる照明コントローラ８を制限することができる。即ち、上位システムからは照明制御システム全体のスケジュール設定が可能である。照明コントローラ８の下位システムからは、その照明コントローラ８の下位に接続している機器のスケジュール設定が可能である。スイッチユニット１９からは、そのスイッチユニット１９が属しているグループの機器のスケジュール設定が可能である。これにより照明制御システムに関するユーザーの知識レベルに応じて簡易にスケジュール設定が可能である。つまり、照明制御システムに関する知識レベルが豊富なユーザーは上位システムからアクセスして照明制御システム全体のスケジュール設定を行うことができる。知識レベルが低いユーザーはフロア単位又はグループ単位などの必要な範囲のスケジュール設定を行うことができる。
【００２７】
実施の形態２．
本実施の形態は、実施の形態１の照明コントローラ８に付加機能を盛り込んだものである。照明制御システムが設置された場所の緯度情報及び経度情報が、コンピュータ３，２５又は設定端末２４から照明コントローラ８に入力され、照明コントローラ８内部の不揮発性メモリに保存される。照明コントローラ８は、記憶された緯度情報及び経度情報と、カレンダー情報の現在の日付に基づいて日の出と日の入りの時間を算出する。
【００２８】
日の出時間に対する設定時間と日の入り時間に対する設定時間が、コンピュータ３，２５又は設定端末２４から照明コントローラ８に入力され、照明コントローラ８内部の不揮発性メモリに保存される。設定時間は例えば±９９分の範囲内で設定される。この設定時間は、日の出時間、日の入り時間を基準に照明制御を行うためのスケジュールの開始又は終了の時間をずらすためのものである。
【００２９】
照明コントローラ８は、算出した日の出と日の入りの時間に設定時間を加算又は減算してスケジュール制御動作時間を算出する。照明コントローラ８は、スケジュール制御動作時間になった際にスケジュール情報に基づいて照明装置１０の点灯状態を制御する。
【００３０】
例えば、日の出時間に対して＋３０分の設定時間を設定すると、照明コントローラ８は、日の出時間になってから３０分後に照明制御を開始し、照明装置１０を調光点灯させて徐々に暗くする又は消灯させる。これにより、周囲が暗く外光が少ない状況にも関わらず、日の出時間になってから直ぐに暗くする又は消灯させることがなく、居室などの照明される空間を明るい状態とすることができる。また、日の入り時間に対して−３０分の所定時間情報を設定すると、照明コントローラ８は、日の入り時間になる３０分前に照明制御を開始し、照明装置１０を調光点灯させて徐々に明るくする又は全灯させる。これにより、周囲が暗くなって外光が少なくなる前から点灯制御することができるので、照明される空間を明るい状態とすることができる。
【００３１】
以上説明したように、本実施の形態では、算出した日の出・日の入り時間に設定時間を加算又は減算してスケジュール制御動作時間を算出し、スケジュール制御動作時間になった際にスケジュール情報に基づいて照明装置の点灯状態を制御する。これにより、快適な照明空間を演出することができる。また、ユーザーの利便性と省エネ性も向上する。
【００３２】
なお、本実施の形態では日の出と日の入りの両方の時間を算出したが、少なくとも一方の時間を算出し、その算出した時間からスケジュール制御動作時間を算出してもよい。また、日の出時間又は日の入り時間と設定時間との間で徐々に明るく又は暗くするフェード点灯制御を行うこともできる。
【００３３】
また、実施の形態１，２において、ユーザーがコンピュータ３，２５又は設定端末２４でスケジュール確認の操作を行うと、照明コントローラに設定されたスケジュール情報のうち当日を含めたその後の複数日の点灯制御スケジュールがコンピュータ３，２５又は設定端末２４の画面に表示される。これにより、ユーザーは、スケジュール情報を変更したい場合又はスケジュール情報を設定した直後に現在のスケジュール情報を簡易に把握することができる。そして、所望のスケジュール情報となっていないことが判明した場合は、直ぐにそのスケジュール情報を訂正することができる。
【符号の説明】
【００３４】
１  中継器、２  第１のネットワーク、３，２５  コンピュータ、８  照明コントローラ、９  第２のネットワーク、１０  照明装置、１９  スイッチユニット、２４  設定端末
【図１】
2019200919.tif 000003